(57)【要約】【課題】靴下Ａによる忍者関連品である手裏剣を模したものとする。【解決手段】対の靴下Ａ１−１、Ａ１−２からなり、その対の靴下Ａ１−１、Ａ１−２において、ウェルト部分１と爪先部分２を、その一端から側縁に４５度斜めの折り目線ｒで折り畳み、その折り畳んだウェルト部分１、爪先部分２を、さらに、その一端から側縁に４５度斜めの折り目線ｒで折り畳む。その一方の靴下Ａ１−１を裏返し、その一方の靴下Ａ１−１の中程に他方の靴下Ａ１−２を横向きに重ねてまんじ（卍）状とし、その一方の靴下Ａ１−１のまんじの両片３１、３１をその中程で折って先端を他方の靴下Ａ１−２のまんじ片３２、３２の基部に差し込み、それを裏返す。そして、他方の靴下Ａ１−２のまんじの両片３２、３２をその中程で折って先端を一方の靴下Ａ１−１のまんじ片３１、３１の基部に差し込んで、図で示す、靴下Ａ１−１、Ａ１−２からなる手裏剣を模した成形商品Ｂとする。【選択図】図１
2016211085.tif 000002
【特許請求の範囲】
【請求項１】
対の靴下（Ａ１−１、Ａ１−２）からなり、その対の靴下（Ａ１−１、Ａ１−２）において、ウェルト部分（１）と爪先部分（２）を、その一端から側縁に４５度斜めの折り目線（ｒ）で折り畳み、その折り畳んだウェルト部分（１）、爪先部分（２）を、さらに、その一端から側縁に４５度斜めの折り目線（ｒ）で折り畳み、その一方の靴下（Ａ１−１）を裏返し、その一方の靴下（Ａ１−１）の中程に他方の靴下（Ａ１−２）を横向きに重ねてまんじ状とし、その一方の靴下（Ａ１−１）のまんじの両片（３１、３１）をその中程で折って先端を他方の靴下（Ａ１−２）のまんじ片（３２、３２）の基部に差し込み、それを裏返し、さらに、他方の靴下（Ａ１−２）のまんじの両片（３２、３２）をその中程で折って先端を一方の靴下（Ａ１−１）のまんじ片（３１、３１）の基部に差し込んで、靴下（Ａ１−１、Ａ１−２）からなる忍者関連品である手裏剣（Ｂ）を模した成形商品。
【請求項２】
対の靴下（Ａ２−１、Ａ２−２）と、棒状芯（４）とからなり、一方の靴下（Ａ２−１）に他方の靴下（Ａ２−２）をその全長に亘って挿し入れて一体となり、その一体になった靴下（Ａ２）が、長さ方向の一端部に前記芯（４）をその端部の長さ方向に沿わせて他端部に向かって巻かれており、その表側の靴下表面に巻物模様の柄が記載され、同裏面には忍術伝書が記載されている靴下からなる忍者関連品である巻物（Ｃ）を模した成形商品。
【請求項３】
対の靴下（Ａ３−１、Ａ３−２）と、筒体（５）とからなり、その筒体（５）内に、一方の靴下（Ａ３−２）がその爪先部分（２）又はウェルト部分（１）の一方から他方に向かって畳んで収納され、他方の靴下（Ａ３−１）は、前記筒体（５）内の一端部に爪先部分（２）から挿入されるとともに、中程で折り返されてウェルト部分（１）も含めて前記筒体（５）の他端部に向かってその外周面に被せられており、その筒体（５）に被せられた靴下表面には忍者関連模様が描かれている靴下からなる忍者関連品である筒物（Ｄ）を模した成形商品。
【発明の詳細な説明】
【技術分野】
【０００１】
この発明は、靴下を畳む等して忍者関連品を模した成形商品に関するものである。
【背景技術】
【０００２】
靴下（ソックス）は脚部を被う衣類であり、その表面模様は編み糸の色や編み方を変化させることによって種々のものが得られる。
このような靴下において、その靴下表面に絵柄を施（形成）したり（特許文献１要約参照）、その絵柄を発光ダイオードによって照射したりして（特許文献２要約参照）、特異性を出したものがある。
また、靴下を造形により新たな販売形態として、人形に造形して模したものとする考えが示されている（特許文献３、第１図〜第６図参照）。
【０００３】
ところで、忍者（にんじゃ）は、鎌倉時代から江戸時代の日本で、大名や領主に仕え、または独立して諜報活動、破壊活動、浸透戦術、暗殺などを仕事としていたとされる、個人ないし集団の名称であって、その名は日本国内にとどまらず、世界的にもよく知られている。このため、世界では、忍者が忍術の奥義を巻物に書き記して残したり、口にくわえて忍術を駆使したりするという描写がさかんになされている。その巻物である忍術伝書には「万川集海（ばんせんしゅうかい）」「正忍記（しょうにんき）」「忍秘伝（しのびひでん）」の三大伝書をはじめ、「忍術秘書奥義之傳巻」「忍法秘巻」など多数ある。
また、忍者が用いる物として、手裏剣が代表的であり、他に目眩まし（めくらまし）等を収容した筒物等がある。
このような状況下、玩具として、手裏剣等を模した忍者関連品の提案もされている（特許文献４、５参照）。
【先行技術文献】
【特許文献】
【０００４】
【特許文献１】特開２００２−２０９０３号公報
【特許文献２】特開２０１１−４７０７３号公報
【特許文献３】実開昭６２−１１３５９６号公報
【特許文献４】実開平０５−２５４１９号公報
【特許文献５】実開平０５−８８５７１号公報
【発明の概要】
【発明が解決しようとする課題】
【０００５】
この発明は、以上の実情の下、靴下を、人忍者関連品に模して造形した成形商品とすることを課題とする。
【課題を解決するための手段】
【０００６】
上記課題を達成するためのこの発明に係る一手段は、対の靴下からなり、その対の靴下において、ウェルト部分と爪先部分を、その一端から側縁に４５度斜めの折り目線で折り畳み、その折り畳んだウェルト部分、爪先部分を、さらに、その一端から側縁に４５度斜めの折り目線で折り畳み、その一方の靴下を裏返し、その一方の靴下の中程に他方の靴下を横向きに重ねてまんじ（卍）状とし、その一方の靴下のまんじの両片をその中程で折って先端を他方の靴下のまんじ片の基部に差し込み、それを裏返した後、さらに、他方の靴下のまんじの両片をその中程で折って先端を一方の靴下のまんじ片の基部に差し込んでなる、忍者関連品である手裏剣を模した構成としたのである。
【０００７】
他の手段は、対の靴下と、棒状芯とからなり、一方の靴下に他方の靴下をその全長に亘って挿し入れて一体となり、その一体になった靴下が、長さ方向の一端部に前記芯をその端部の長さ方向に沿わせて他端部に向かって巻かれており、その表側の靴下表面に巻物模様の柄が記載され、同裏面には忍術伝書が記載されている靴下からなる忍者関連品である巻物を模した構成とすることができる。
【０００８】
さらに他の手段は、対の靴下と、筒体とからなり、その筒体内に、一方の靴下がその爪先部分又はウェルト部分の一方から他方に向かって畳んで収納され、他方の靴下は、前記筒体内の一端部に爪先部分から挿入されるとともに、中程で折り返されてウェルト部分も含めて前記筒体の他端部に向かってその外周面に被せられており、その筒体に被せられた靴下表面には忍者関連模様が描かれている靴下からなる忍者関連品である筒物を模した構成とすることができる。
【発明の効果】
【０００９】
この発明は、以上のように構成して、忍者関連品に模した靴下からなる成形商品としたため、靴下としては勿論、贈り物等、特に、外国人の贈り物やおみやげ等として最適な品となる。
【図面の簡単な説明】
【００１０】
【図１】この発明に係る靴下による忍者関連品である手裏剣を模した成形商品の一実施形態の正面斜視図
【図２Ａ】同実施形態の手裏剣の作成説明図
【図２Ｂ】同実施形態の手裏剣の作成説明図
【図２Ｃ】同実施形態の手裏剣の作成説明図
【図２Ｄ】同実施形態の手裏剣の作成説明図
【図２Ｅ】同実施形態の手裏剣の作成説明図
【図２Ｆ】同実施形態の手裏剣の作成説明図
【図２Ｇ】同実施形態の手裏剣の作成説明図
【図３】同実施形態の包装状態を示し、（ａ）は正面斜視図、（ｂ）は背面斜視図
【図４】この発明に係る靴下による忍者関連品である巻物を模した成形商品の一実施形態の斜視図
【図５Ａ】同実施形態の巻物の作成説明図
【図５Ｂ】同実施形態の巻物の作成説明図
【図５Ｃ】同実施形態の巻物の作成説明図
【図６】この発明に係る靴下による忍者関連品である筒物を模した成形商品の一実施形態の斜視図
【図７Ａ】同実施形態の筒物の作成説明図であり、（ａ）は正面図、（ｂ）は背面図
【図７Ｂ】同実施形態の筒物の作成説明図であり、（ａ）は正面図、（ｂ）は背面図
【図７Ｃ】同実施形態の筒物の作成説明図
【図７Ｄ】同実施形態の筒物の作成説明図
【発明を実施するための形態】
【００１１】
この発明に係る靴下の一実施形態を図１〜図３に示し、この靴下Ａ１（Ａ１−１、Ａ１−２）は、丸編みや平編み等の従来周知の種々の編み方で製造され、踵部（踵）を有するものと、踵の無いものがある。後者の踵の無い物は、足の大きさの制限が少ないため、ロット数を減らすことができる。この実施形態においては、踵の無い物としたが、踵を有するものも採用し得る。以下、この靴下Ａ１を含み、後記靴下Ａ２、同靴下Ａ３の総称符号を「Ａ」とし、それらの対の靴下Ａを「Ａ１−１、Ａ１−２、Ａ２−１、Ａ２−２、Ａ３−１、Ａ３−２」とする。
【００１２】
この実施形態は、対の靴下Ａ１−１、Ａ１−２からなって、図１に示す、忍者関連品である手裏剣を模した成形商品Ｂである。その対の靴下Ａ１−１、Ａ１−２は、表裏に同じ模様（柄）が施されている（図２Ａの左が一面、同右が他面）。
この靴下Ａ１は、ほぼ長方形であるため、折り紙による手裏剣と同様の折り畳み方によって手裏剣を模した成形商品Ｂすることができる。
【００１３】
その作り方は、例えば、図２Ａに示す、対の靴下Ａ１−１、Ａ１−２において、ウェルト部分１と爪先部分２を、その一端から側縁に４５度斜めの折り目線ｒで折り畳み（図２Ｂ）、その折り畳んだウェルト部分１、爪先部分２を、さらに、その一端から側縁に４５度斜めの折り目線ｒで折り畳む（図２Ｃ）。その一方の靴下Ａ１−１を裏返し（図２Ｄ）、その一方の靴下Ａ１−１の中程に他方の靴下Ａ１−２を横向きに重ねて右まんじ（卍）状とし（図２Ｅ）、その一方の靴下Ａ１−１のまんじの両片３１、３１をその中程で折って先端を他方の靴下Ａ１−２のまんじ片３２、３２の基部に差し込み（図２Ｅの白矢印、図２Ｆ）、それを裏返す（図２Ｇ）。「まんじ」は「左まんじ」とし得る。
そしてさらに、他方の靴下Ａ１−２のまんじの両片３２、３２をその中程で折って先端を一方の靴下Ａ１−１のまんじ片３１、３１の基部に差し込んで（図２Ｇの白矢印）、図１で示す、靴下Ａ１−１、Ａ１−２からなる手裏剣を模した成形商品Ｂとする。
この手裏剣仕様の靴下Ａ（Ａ１−１、Ａ１−２）は、例えば、図３に示すように、包装袋Ｆに収容して販売する。
【００１４】
図４〜図５Ｃに他の実施形態を示し、この実施形態は、図４に示す、忍者関連品である巻物を模した成形商品Ｃである。その対の靴下Ａ２は、表裏に同じ模様（柄）が施されている（図５Ａにおいて、Ａ２−１が表面、Ａ２−２が裏面を示す）。
この対の靴下Ａ２の一方Ａ２−１に他方Ａ２−２を挿し入れて一体とし、その一体になった靴下Ａ２の爪先部分２に芯材４を当てがい（図５Ｂ）、その芯材４を芯として巻き取る（図５Ｃ）。ウェルト部分１まで巻き取れば、ゴム輪等を嵌めてそのロール状を維持して、靴下Ａ２からなる巻物を模した成形商品Ｃとする。
この巻物仕様の靴下Ａ（Ａ２−１、Ａ２−２）も、例えば、図３に示す包装袋Ｆに収容して販売する。
【００１５】
図６〜図７Ｄにさらに他の実施形態を示し、この実施形態は、図６に示す、忍者関連品である目眩まし等を収容した筒物を模した成形商品Ｄである。その対の靴下Ａ３（Ａ３−１、Ａ３−２）は、表裏に同じ模様（柄）が施されており（図７Ａ、同Ｂにおいて、（ａ）が表面、（ｂ）が裏面を示す）、ウェルト部分１は二重になって、表筒１ａを捲ると、その捲った裏面とウェルト部分１の隠れていた表面が現れる（図７Ｂ）。
この対の靴下Ａ３の一方Ａ３−１をそのウェルト部分１から筒５に嵌め（図７Ｃから図７Ｄ）、その嵌めた底部から、丸めた他方の靴下Ａ３−２をその筒５内に差し込んで、図６に示す、靴下Ａ３からなる筒物を模した成形商品Ｄとする。一方の靴下Ａ３−１を筒５に嵌める前に、他方の靴下Ａ３−２を筒５に差し込むことができる。
この筒物仕様の靴下Ａ（Ａ３−１、Ａ３−２）も、例えば、図３に示す包装袋Ｆ等に収容して販売する。
【００１６】
上記各実施形態は、手裏剣、巻物、筒物を模した靴下Ａからなる忍者関連品である成形商品Ｂ、Ｃ、Ｄであったが、他の忍者関連品においても、靴下Ａによって模し得る物であれば、この発明を採用し得ることは勿論である。また、手裏剣Ｂ、巻物Ｃ及び筒物Ｄ等の上記作り方は一例であって、他の種々の手段を採用し得る。
したがって、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００１７】
Ａ１、Ａ１−１、Ａ１−２、Ａ２、Ａ２−１、Ａ２−２、Ａ３、Ａ３−１、Ａ３−２  靴下
Ｂ  手裏剣を模した靴下からなる成形商品
Ｃ  巻物を模した靴下からなる成形商品
Ｄ  筒物を模した靴下からなる成形商品
Ｆ  包装袋
１  ウェルト部分
２  爪先部分
３  まんじ片
４  芯材
５  筒
【図１】
2016211085.tif 000003
【図２Ａ】
2016211085.tif 000004
【図２Ｂ】
2016211085.tif 000005
【図２Ｃ】
2016211085.tif 000006
【図２Ｄ】
2016211085.tif 000007
【図２Ｅ】
2016211085.tif 000008
【図２Ｆ】
2016211085.tif 000009
【図２Ｇ】
2016211085.tif 000010
【図３】
2016211085.tif 000011
【図４】
2016211085.tif 000012
【図５Ａ】
2016211085.tif 000013
【図５Ｂ】
2016211085.tif 000014
【図５Ｃ】
2016211085.tif 000015
【図６】
2016211085.tif 000016
【図７Ａ】
2016211085.tif 000017
【図７Ｂ】
2016211085.tif 000018
【図７Ｃ】
2016211085.tif 000019
【図７Ｄ】
2016211085.tif 000020